(57)【要約】【課題】歯科印象材の種類又は用途に応じてノズルを簡単に取替えることができ且つ歯科印象材の無駄をなくして効率の良い印象採得するのに便利な歯科印象材注入用シリンジを提供する。【解決手段】ノズル２０の後端部２１に形成された嵌合部２１ａをシリンダー本体１１の先端部１２に形成された注出口１２ａに着脱自在に取り付け、ノズル２０の後端部２１の外径をシリンダー本体１１の先端部１２の外径より大きく形成し、ノズル２０の形状・太さ・内径については歯科印象材の種類又は用途に応じて取り替え可能とした。ピストン１３に合成樹脂製カバー３０を装着してシリンダー本体１１に挿入して仕上がり寸法の誤差を吸収する。【選択図】図１
0003140220.tif 000002
【実用新案登録請求の範囲】
【請求項１】
先端に歯科印象材を注出するノズルを有するシリンダー本体と、前記シリンダー本体に挿入するピストンとを備えた歯科印象材注入用シリンジにおいて、前記ノズルの後端部に形成された嵌合部を前記シリンダー本体の先端部に形成された注出口に着脱自在に取り付け、前記ノズルの後端部の外径を前記シリンダー本体の先端部の外径より大きく形成し、前記ノズルの形状・太さ・内径については歯科印象材の種類又は用途に応じて取り替え可能としたことを特徴とする歯科印象材注入用シリンジ。
【請求項２】
前記ピストンに合成樹脂製カバーを装着して前記シリンダー本体に挿入し、前記ピストンの先端部と前記シリンダー本体の内壁面について仕上がり寸法の誤差を吸収することを特徴とする請求項１に記載の歯科印象材注入用シリンジ。
【請求項３】
請求項１又は請求項２に記載の歯科印象材注入用シリンジと、材質の異なる２種の歯科用印象材料を重ね合わせる連合印象に用いる歯科印象用フィルムとを備えた印象採得キット。
【考案の詳細な説明】
【技術分野】
【０００１】
本考案は、歯科印象材を歯の周りに注入する際に用いる歯科印象材注入用シリンジ及び印象採得キットに関する。
【背景技術】
【０００２】
従来から、歯冠修復物を作製する場合、弾性印象材による印象採得する方法が一般的に行われている。通常の印象材料としては、アルギン酸塩の可溶性塩を主成分とする印象材（アルジネート印象材）、シリコーンゴムを主成分とする精密印象材（シリコーン印象材）などが知られている。
これらの印象材の主な特徴を比較すると、シリコーン印象材を用いた場合は、アルジネート印象材を用いた場合よりも精密な印象採得が可能であるといえるが、シリコーン印象材はアルジネート印象材よりも価格が数倍以上するため、経済性の面を考慮するとシリコーン印象材を多量に使用することは難しい。したがって、シリコーン印象材の使用量をできる限り少なくすればコストダウンを図ることができる。
【０００３】
一方、２種の歯科用印象材料を重ね合わせる連合印象としては、例えば、寒天・アルジネート連合印象が一般的に知れている。その特徴としては、両者とも多量の水分を含んでいることである。このため、印象撤去後歯型材の注入が遅れると、水分の蒸発に伴う収縮により印象が変形してしまうという問題がある。また、寒天とアルジネートの両者間の良好な接着が重要なポイントとなるが、未硬化の２種の材料を重ね合わせる方法であるため、両者が十分な流動性を有する時期に圧接することが必要となる。しかし、印象採得する領域が広範囲になる場合には、各印象材の硬化タイミングを合わせることは非常に困難であるといえる。
【０００４】
そこで、本願出願人は、従来の連合印象では考えられなかった材質の異なる２種の歯科用印象材料を組合せることに着目し、両者の接合を可能にする歯科印象用フィルムを提供すること、また歯科印象用フィルムを介在させることにより各印象材の硬化タイミングを合わせる必要性がなく且つ精密な印象を安価に採得する印象採得方法を提供することを目的とし、「歯科印象用フィルム及びそれを使用した印象採得方法」の発明について特許出願を行っている（特願２００７−２８４４０５号）。また、前記歯科印象用フィルムについては、従来に存在しない新規の商品であるため、量産時における商品の製造方法を確立すると共に、品質が安定した商品を安価に供給できるようにするため、本願出願人は、「歯科印象用フィルムの製造方法」の発明についても特許出願を行っている（特願２００７−３１１６５２号）。
【０００５】
ところで、従来のシリンジの例としては、図４に示すものが存在する。シリンジ５０は、ノズル５２を有するシリンダー本体５１と、シリンダー本体５１の中に挿入されるピストン５３とから構成されており、印象採得する際に歯科印象材の種類又は用途に応じてシリンジ自体を取り替える必要があった。また、シリンダー本体５１とピストン５３の寸法精度が良くないと、ピストン５３の先端部５４に間隙ができてしまい、使用した際に歯科印象材がピストン側へ漏れ出してしまうという問題があった。
以上の問題があったため、本願出願人が発明した歯科印象用フィルムを使用した印象採得のトータルシステムを考えた場合、歯科印象材注入用シリンジについて専用品の開発が必要とされる。
【考案の開示】
【考案が解決しようとする課題】
【０００６】
そこで、本考案は、歯科印象材の種類又は用途に応じてノズルを簡単に取替えることができ且つ歯科印象材の無駄をなくして効率の良い印象採得するのに便利な歯科印象材注入用シリンジを提供することを目的とする。
【課題を解決するための手段】
【０００７】
上記課題を解決するために、請求項１に記載の考案は、先端に歯科印象材を注出するノズルを有するシリンダー本体と、前記シリンダー本体に挿入するピストンとを備えた歯科印象材注入用シリンジにおいて、前記ノズルの後端部に形成された嵌合部を前記シリンダー本体の先端部に形成された注出口に着脱自在に取り付け、前記ノズルの後端部の外径を前記シリンダー本体の先端部の外径より大きく形成し、前記ノズルの形状・太さ・内径については歯科印象材の種類又は用途に応じて取り替え可能としたことを特徴とした構成を採用したのである。
【０００８】
また、請求項２に記載の考案は、請求項１に記載の前記ピストンに合成樹脂製カバーを装着して前記シリンダー本体に挿入し、前記ピストンの先端部と前記シリンダー本体の内壁面について仕上がり寸法の誤差を吸収することを特徴とする。
【０００９】
また、請求項３に記載の考案は、請求項１又は請求項２に記載の歯科印象材注入用シリンジと、材質の異なる２種の歯科用印象材料を重ね合わせる連合印象に用いる歯科印象用フィルムとを備えた印象採得キットを構成したものである。
【考案の効果】
【００１０】
以上のように、本考案によれば、歯科印象材の種類又は用途に応じて最適なノズルを選択し簡単に取替えて使用することが可能になる。
【００１１】
また、ピストンに合成樹脂製カバーを装着してシリンダー本体に挿入したので、ピストンの先端部とシリンダー内壁面について仕上がり寸法の誤差を吸収し密着性も高まることから、従来のようにピストン先端部に間隙ができて歯科印象材がピストン側へ漏れ出してしまうという問題を解消でき、歯科印象材の無駄をなくすことが可能になる。
【００１２】
さらに、本考案に係るシリンジと、材質の異なる２種の歯科用印象材料を重ね合わせる連合印象に用いる歯科印象用フィルムとを備えた印象採得キットを構成することにより、従来になかった歯科用印象採得に関するトータルシステムを提案することができ、精密な印象を安価に採得することが可能になる。
【考案を実施するための最良の形態】
【００１３】
以下、本考案の実施形態について、図面を参酌しながら説明する。
【００１４】
図１は、本考案に係るシリンジの一例を示す斜視図である。図２は、図１に示すシリンジの分解図である。図３は、図１に示すシリンジのピストンの説明図である。本考案に係るシリンジは、本願出願人が発明して既に特許出願している材質の異なる２種の歯科用印象材料を重ね合わせる連合印象に用いる歯科印象用フィルムを使用した印象採得に用いられるものである。
【００１５】
ここで、材質の異なる２種の歯科用印象材料を重ね合わせる連合印象に用いる歯科印象用フィルムを使用した印象採得とは、シリコーン印象材及びアルジネート印象材の各歯科用印象材料との間で接着能を有する歯科印象用フィルムを介在させることにより、シリコーン印象材とアルジネート印象材とを接合可能とし、各印象材の硬化タイミングを合わせる必要性がなく且つ精密な印象を安価に採得することを特徴とするものである。なお、材質の異なる２種の歯科用印象材料については、上述したシリコーン印象材とアルジネート印象材の組み合わせに限定されるものではなく、例えば、ラバー印象材、寒天印象材等を採用してもよい。
【００１６】
図１及び図２に示すように、歯科印象材注入用のシリンジ１０は、先端に歯科印象材を注出するノズル２０を有するシリンダー本体１１と、シリンダー本体１１に挿入するピストン１３とから構成されている。
ノズル２０の後端部２１に形成された嵌合部２１ａは、シリンダー本体１１の先端部１２に形成された注出口１２ａに着脱自在に取り付けられる（図１の部分拡大図参照）。ここで、ノズル２０の後端部２１の外径をシリンダー本体１１の先端部１２の外径より大きく形成することにより、ノズル２０を取り外す際に引っ張り易くなる。また、ノズル２０の形状・太さ・内径については歯科印象材の種類又は用途に応じて取り替え可能とするために、異なるタイプのノズルを用意しておくことが必要になる。
例えば、歯科印象材の種類について、（１）流れが非常に良い、（２）流れが少し良い、（３）流れが普通、（４）流れが悪い、の４つにタイプに分類した場合、ノズル２０の注出口の内径をそれぞれに対応させて形成し、（１）細い、（２）少し細い、（３）普通、（３）太い、の４種類のノズルを用意する。また、ノズル２０の後端部２１及び嵌合部２１ａは全て同じ形状にしておきシリンダー本体１１を共用できるようにする。なお、精密な印象を少量のシリコーンで採得する連合印象に使用するノズル２０については、その注出口の内径を（１）細い、（２）少し細い、の少なくとも２種類を用意しておけば十分である。
【００１７】
図２及び図３に示すように、ピストン１３には合成樹脂製カバー３０が装着され、その状態でシリンダー本体１１に挿入される。なお、合成樹脂製カバー３０については、本実施例に限定されるものではないが、薄手で袋状に形成したものが適している。
このように合成樹脂製カバー３０を介在させることにより、ピストン１３の先端部１４とシリンダー本体１１の内壁面について仕上がり寸法の誤差を吸収することができ、ピストン１３の先端部１４にＯリングやパッキンを組み込まなくてもよくなり、シリンダー本体１１の内壁面との密着性も高まるようになる。このため、従来のシリンジ５０のように、仕上がった製品の寸法誤差のためピストン５３の先端部５４に間隙ができて歯科印象材がピストン５３側へ漏れ出してしまうという問題を解消することができる。
【図面の簡単な説明】
【００１８】
【図１】本考案に係るシリンジの一例を示す斜視図である。
【図２】図１に示すシリンジの分解図である。
【図３】図１に示すシリンジのピストンの説明図である。
【図４】従来のシリンジの一例を示す説明図である。
【符号の説明】
【００１９】
１０  シリンジ
１１  シリンダー本体
１２  先端部
１２ａ  注出口
１３  ピストン
１４  先端部
２０  ノズル
２１  後端部
２１ａ  嵌合部
３０  合成樹脂製カバー
５０  シリンジ
５１  シリンダー本体
５２  ノズル
５３  ピストン
５４  先端部
【図１】
0003140220.tif 000003
【図２】
0003140220.tif 000004
【図３】
0003140220.tif 000005
【図４】
0003140220.tif 000006